(57)【要約】【課題】複数の小型の磁石を所望の大きさで取り扱うことが可能な磁石装置を提供することである。【解決手段】所定形状の複数の磁石と、その面に前記複数の磁石のそれぞれを平置きする背板と、前記背板の面に、前記複数の磁石のそれぞれが嵌る複数の領域に仕切る仕切部材とを備えたことを特徴とする。【選択図】図４
2013042013.tif 000002
【特許請求の範囲】
【請求項１】
所定形状の複数の磁石と、
その面に前記複数の磁石のそれぞれを平置きする背板と、
前記背板の面に、前記複数の磁石のそれぞれが嵌る複数の領域に仕切る仕切部材と
を備えたことを特徴とする磁石装置。
【請求項２】
前記複数の磁石の所定形状が、ほぼ矩形の平板形状であることを特徴とする請求項１に記載の磁石装置。
【請求項３】
前記背板および前記仕切部材が、磁石が吸着する部材であることを特徴とする請求項１または２に記載の磁石装置。
【請求項４】
前記磁石がネオジム磁石であることを特徴とする請求項１乃至３のうちのいずれか１項に記載の磁石装置。
【発明の詳細な説明】
【技術分野】
【０００１】
本発明は磁石装置に関し、特に磁力の強力な磁石を複数備えてなる磁石装置に関する。
【背景技術】
【０００２】
従来、非常に強い磁力を有する磁石が知られている。その一種として、特許文献１では、非常に強い磁力を有するネオジム磁石について開示している。
【先行技術文献】
【特許文献】
【０００３】
【特許文献１】特開２００９−７３２号公報
【発明の概要】
【発明が解決しようとする課題】
【０００４】
ところで、特許文献１に記載のネオジム磁石のような磁石では、その磁力は非常に強力なものであり、その強力な磁力のために取り扱いが難しく、特に大型のものでは、輸送や保管の際に、周囲の金属物を吸着したり、磁石同士で吸着したりしてしまうので、これを防ぐように工夫し、手間をかける必要があり、例えば安全対策としてその周囲に無駄なスペースを必要とした。また、作業者の安全面を考慮すれば大きな磁石は扱いにくいものであった。このため、従来は特許文献１のように小型の磁石を取り扱うようにするのが通常であった。
【０００５】
しかしながら、ネオジム磁石のように強力な磁石を利用する際には、従来のように小型のものではその用途に制限があり、例えば広い面積で磁界が必要な場合などには対応できないという問題があった。
【０００６】
すなわち、従来は、小型の磁石を所望の大きさで取り扱う磁石装置については、何ら知られていないのが現状であった。
【０００７】
本発明は、上記課題に鑑みてなされたものであり、複数の小型の磁石を所望の大きさで取り扱うことが可能な磁石装置を提供することを目的とする。
【課題を解決するための手段】
【０００８】
上記課題を解決するために、本発明は、所定形状の複数の磁石と、その面に前記複数の磁石のそれぞれを平置きする背板と、前記背板の面に、前記複数の磁石のそれぞれが嵌る複数の領域に仕切る仕切部材とを備えたことを特徴とする。
【０００９】
また本発明は、前記複数の磁石の所定形状が、ほぼ矩形の平板形状であることを特徴とする。
【００１０】
また本発明は、前記背板および前記仕切部材が、磁石が吸着する部材であることを特徴とする。
【００１１】
また本発明は、前記磁石がネオジム磁石であることを特徴とする。
【発明の効果】
【００１２】
本発明によれば、複数の小型の磁石を所望の大きさで取り扱うことが可能な磁石装置を提供することができる。
【図面の簡単な説明】
【００１３】
【図１】本発明による磁石装置の一実施の形態で用いる枠部材を示す斜視図である。
【図２】本発明による磁石装置の一実施の形態で用いる磁石を示す斜視図である。
【図３】図１に示した枠部材１００に形成した複数の領域１３のそれぞれに、図２に示したネオジム磁石１４を嵌め込んだ状態である磁石収容体１０１を示す斜視図である。
【図４】図３に示した磁石収容体１０１をカバー部材１５で覆って成る磁石装置１０２を示す斜視図である。
【発明を実施するための形態】
【００１４】
以下、本発明の実施の形態を図面に基づいて説明する。
【００１５】
図１は、本発明による磁石装置の一実施の形態で用いる枠部材を示す斜視図である。
【００１６】
枠部材１００は、背板１０に対して、縦枠仕切部材１１と横枠仕切部材１２とを設けて構成される。
【００１７】
縦枠仕切部材１１および横枠仕切部材１２は、背板１０からほぼ垂直に立ち上がる部材であって、縦に仕切る縦枠仕切部材１１と横に仕切る横枠仕切部材１２とによって、背板１０に複数の領域１３を形成する。背板１０と縦枠仕切部材１１と横枠仕切部材１２との接合は、例えば溶接で行うようにしてもよい。
【００１８】
背板１０、縦枠仕切部材１１および横枠仕切部材１２を、例えば強磁性のステンレス（ＳＵＳ４００番系など）や、そのほかの鋼板などの磁石が吸着する材料で形成してもよい。
【００１９】
図２は、本発明による磁石装置の一実施の形態で用いる磁石を示す斜視図である。
【００２０】
なお、本実施の形態ではネオジム磁石を用いる場合を例に説明するが、本発明はこれに限られるものではなく、ネオジム磁石以外の磁石を用いることもできるし、ネオジム磁石のように磁力が強力な磁石において得に効果的である。
【００２１】
図２に示すように、ネオジム磁石１４は、例えば２ｃｍ×３ｃｍの矩形であって厚さ０．５ｃｍ程度の大きさであり、縦枠仕切部材１１と横枠仕切部材１２とによって仕切られた領域１３の大きさは、このネオジム磁石１４の大きさとほぼ同じに形成され、ネオジム磁石１４は領域１３に嵌め込まれて収容される。
【００２２】
また、ネオジム磁石１４と背板１０との接合は、ネオジム磁石１４が、縦枠仕切部材１１と横枠仕切部材１２とによって仕切られた領域１３に固く嵌合することによって接合してもよいし、ネオジム磁石１４と、縦枠仕切部材１１、横枠仕切部材１２や背板１０とを接着剤で接合してもよいし、背板１０が、ネオジム磁石が吸着する材料の場合にはネオジム磁石１４の磁力によって接合してもよい。
【００２３】
図３は、図１に示した枠部材１００に形成した複数の領域１３のそれぞれに、図２に示したネオジム磁石１４を嵌め込んだ状態である磁石収容体１０１を示す斜視図である。
【００２４】
図４は、図３に示した磁石収容体１０１をカバー部材１５で覆って成る磁石装置１０２を示す斜視図である。
【００２５】
図３に示すように、本実施の形態では、枠部材１００は７２個の領域１３を有し、背板１０上の７２個の領域１３のそれぞれに、７２個のネオジム磁石１４が平置きされ、ネオジム磁石１４と背板１０とを上述のようにして接合する。背板１０の大きさ（面積）、すなわち、利用するネオジム磁石１４の大きさ（面積）およびネオジム１４の数は、磁石装置１０２の用途に応じて適宜変更可能なものである。
【００２６】
また、図４に示すように、本実施の形態の磁石装置１０２は、図３の磁石収容体１０１をカバー部材１０２で覆って構成している。磁石装置はカバー部材１０２を設けなくてもかまわないが、ネオジム磁石１４が背板１０から外れてしまうのを防いだり、汚れを防いだりするためにもカバー部材１０２を設けるのが望ましい。
【００２７】
カバー部材１０２の材質は、ネオジム磁石１４の磁力をカバー部材１０２の外側に透過するものであれば、特に問うものではない。
【００２８】
以上、本発明を説明したが、本発明は、この説明に限定されるものではなく、本発明の趣旨を逸脱しない範囲で数々の変形および組み合わせが出来ることは勿論である。
【符号の説明】
【００２９】
１０  背板
１１  縦枠仕切部材
１２  横枠仕切部材
１３  領域
１４  ネオジム磁石
１５  カバー部材
１００  枠部材
１０１  磁石収容体
１０２  磁石装置
【図１】
2013042013.tif 000003
【図２】
2013042013.tif 000004
【図３】
2013042013.tif 000005
【図４】
2013042013.tif 000006